(57)【要約】【課題】人が、１本から複数本の指に、１個または複数個重ねて、指輪のように装着することによって、脳血管障害等の患者の指の拘縮の予防や改善を図るとともに、装着によって指と指、手掌内に生じる隙間が、蒸れによる皮膚状態の悪化の抑制、改善につながり、脱落しにくく、かつ安価な衛生器具を提供する。【解決手段】輪状または輪状の一部が分断された形状で可撓性のある素材から成る芯部と、前記芯部の表面を覆う布状の被覆部から構成されることを特徴とする指用の衛生器具である。芯部の厚さは一定でもよく、一部分をより肥厚させてもよい。【選択図】図１
0003208302.tif 000002
【実用新案登録請求の範囲】
【請求項１】
輪状の形状で可撓性のある素材から成る芯部と前記芯部の表面を覆う布状の被覆部から構成されることを特徴とする指用の衛生器具
【請求項２】
前記芯部の一部が分断されたことを特徴とする請求項１記載の衛生器具
【請求項３】
前記被覆部が着脱可能とされた請求項１、２のいずれかに記載の衛生器具
【考案の詳細な説明】
【技術分野】
【０００１】  本考案は、拘縮によって発現した皮膚状態の悪化を改善方向に導き、拘縮の進行を抑える衛生器具に関する。
【背景技術】
【０００２】  従来、指に使用する衛生器具として、手掌に通気性のあるスティックを握らせるタイプの器具、指に副木を添わせるタイプの器具、ゴムやバネの復元力を利用したタイプの器具等が各種提案されている。また、例えば指関節の全周を被覆できるように形成された器具が開示されている。
【先行技術文献】
【特許文献】
【０００３】
【特許文献１】特開２０１３−２３３３８９
【考案の概要】
【考案が解決しようとする課題】
【０００４】  脳血管障害等の疾患を罹患したのち、手指部が屈曲方向に拘縮してしまうことがしばしば見受けられる。指間や手掌内で蒸れが生じて常時湿った状態が続き、手を洗うこともしにくいため清潔を保ちにくく、皮膚状態が悪化する事例が多い。加えて爪切りもしにくいことで伸びた爪で皮膚を傷つけることがある。拘縮により指が伸展しにくくなることで関節可動域が小さくなり、日常生活動作にたいへん不便をきたしている。動きにくいので動かさないでいることで、さらに拘縮の度合いが強くなる傾向がある。拘縮があることは、患者本人の不便や苦痛はもちろんであるが、看護やケアする側が処置をする際に、ケアのしやすさを阻害する要因となっている。【０００５】  従来市販されている、屈曲拘縮した指用の器具として、手掌に通気性のあるスティックを握らせ各指を決まった個所にはめ込むタイプのものは、手掌内の皮膚とスティック表面材が多くの面積で接触する形状であるため、手掌内の蒸れに対する対策は十分でないことが多い。また、拘縮した指すべてを、おのおの決まった個所にはめ込むことがむずかしい。【０００６】  また、このタイプの器具は、着用してから歩行器などを使おうとするときには、着けたままでは歩行器の握り部分を握ることができないので、いったん外してから歩行器を握ることが必要で、外した器具の置き場にも困るという点があった。【０００７】  従来ある、指に副木を添わせることで関節の伸展状態を保つタイプの器具は、副木と皮膚との接触面で蒸れが生じやすい。また構造的に関節は動かしにくい仕組みであるので装着したまま指を使った日常動作はしにくい。装着脱着には手間がかかる。【０００８】  従来ある、ゴムやバネの復元力とてこの原理を利用して指を伸展状態方向に働きかけるタイプの用具は、関節は動かしにくい仕組みであるので、装着したまま指を使った日常生活動作はしにくい。装着脱着には手間がかかる。【０００９】  指関節の全周を被覆できるように形成された器具では、器具と皮膚との接触面で蒸れが生じやすい。【００１０】  上記のように、従来の提案では、指や手掌内の蒸れにくさ、装着脱着のしやすさ、装着時の他の日常動作のしやすさの点において、いずれかが欠けるものであり、すべてを満たすものはなかった。
【課題を解決するための手段】
【００１１】  この考案の目的は、指や手掌内の蒸れにくさ、装着脱着のしやすさ、装着時の他の日常動作のしやすさを満たした衛生器具を提供することである。【００１２】  上述した課題を解決し、目的を達成するため、この考案に係わる衛生器具は、請求項１の記載によれば、輪状の形状で可撓性のある素材から成る芯部と前記芯材の表面を覆う布状の被覆部から構成されることを特徴とする。【００１３】  また、目的を達成するため、この考案に係わる器具は、請求項２の記載によれば、請求項１記載の衛生器具で、前記芯部の一部が分断されたことを特徴とする。【００１４】  また、目的を達成するため、この考案に係わる器具は、請求項３の記載によれば、請求項１、２のいずれかに記載の衛生器具で、前記被覆部が着脱可能とされたことを特徴とする。
【考案の効果】
【００１５】  この考案によれば、指や手掌内の蒸れにくさ、装着脱着のしやすさ、装着時の他の日常動作のしやすさを満たした衛生器具を提供できる。【００１６】  また、この考案によれば、洗濯のしやすさ、清潔の保ちやすさ、肌触りのよさ、安価さの点を満たした衛生器具を提供できる。【００１７】  １本から複数本の指に、１個または複数個連ねて指輪のように装着することによって、脳血管障害等の患者の指の関節の、拘縮の予防や拘縮の改善を図れる。【００１８】  この考案器具は、芯部に厚さをもたせることで、使用時、隣り合った指と指が密着せず、指間や手掌内に隙間が生まれる。このことが、通気性を良くして、常時湿潤していることが原因の皮膚状態の悪化を改善方向に導く。芯部の厚さは一定でなくてもよく、より肥厚させた部分を手掌側に向けて装着することで、指先と手掌とが密着することを防ぎ、爪で手掌の皮膚を傷つけることが少なくできる。【００１９】  この考案器具は、可撓性のある芯部に高さがあることで、屈曲しようとする関節を伸展させる力が適度に働いて、拘縮が進むことを防ぐ効果が期待される。芯部の高さを大きくすれば、指の屈曲に抵抗する力が大きくできる。【００２０】  この考案器具は、複数個を組み合わせて、装着する指を変えたり、ひとつの指に複数個を連ねて装着することが可能で、装着位置をずらすことも容易であるので、患者の個人個人の症状の度合いに合わせて装着の調整をすることが可能である。【００２１】  この考案器具は、指１本ずつ指先から滑りこませるように装着するので、装着しやすい。同じく脱着も容易である。障害の度合いによっては、他の人の手を借りなくても装着脱着できる。【００２２】  請求項２の考案では、芯部が分断されていることで、分断芯部と被覆部がアジャスターの役割をし、装着する指の太さが太くても装着できる。また、装着脱着の際に輪の径が広がって、装着脱着がしやすい。【００２３】  この考案器具は、装着したままで、歩行器を握ったりすることも可能である。動作のたびに外す必要がないので、日常生活動作の制限が少なくなる。外した器具を置いておく場所に困ることもない。【００２４】  この考案器具は、洗濯も可能で清潔を保ちやすい。シンプルな構造で、かつ安価に患者に提供できるので、使い捨て使用にも対応できる。【００２５】  この考案器具は、手指に使用するだけでなく、足の指など他の部位に使用することも可能である。
【図面の簡単な説明】
【００２６】
【図１】本考案の衛生器具の第一の実施例を示す平面図
【図２】本考案の衛生器具の第二の実施例を示す平面図
【図３】本考案の衛生器具の第一の実施例を示す側面図
【図４】本考案の衛生器具の第二の実施例を示す側面図
【図５】本考案の衛生器具の第三の実施例を示す平面図
【図６】本考案の衛生器具の第三の実施例における芯部の斜視図
【図７】本考案の衛生器具を指に装着した状態を示す図
【図８】本考案の衛生器具のＣ方式組立手順図
【考案を実施するための形態】
【００２７】  以下、この発明にかかる指の衛生器具について、実施の形態に基づいて図も交えながら説明する。図１は本考案の衛生器具の第一の実施例を示す平面図である。１は芯部であり、輪状の形状で可撓性のある素材から成る。２は被覆部であり、前記芯部１の表面を覆う布状の素材から成る。外観は輪状であり、中央の穴に、指をはめて使用する。前記芯部１は可撓性を有するため、指の太さに違いがあってもスムースに装着ができ、装着した後の不用意な脱落を防止することができる。
【００２８】  図２は本考案の衛生器具の第二の実施例を示す平面図である。３は分断芯部であり、輪状の一部が分断された形状を有する。４は被覆部である。被覆部４は第一の実施例と同様に輪全体を覆えば、外観は輪状で、指にはめるように使用できる。このとき被覆材に伸縮性のある素材を使うことで、分断芯部３の分断個所５と被覆部４が相まって調整機能の役割をし、指の太さに対する適合範囲がより広くなるという特徴を有する。装着の際は、分断個所は指の背側に向けて使用する。
【００２９】  図５は本考案の第三の実施例を示す平面図である。分断芯部６は輪状の一部分を肥厚させたものである。被覆部７は肥厚させた芯部の形に合わせて分断芯部６を被覆している。
【００３０】  第三の実施例では、分断芯部の一部を肥厚させた例を示したが、第一実施例のような分断の無い形において肥厚させることもできる。手指に装着する際、肥厚した側を手掌側に向けて装着する。屈曲拘縮で握りこんだ手指と手掌との間に肥厚した部分の器具が入る形になり、爪先と手掌がぶつかることを防ぎ、できた隙間は手掌内の通気性を良くし、過度の湿潤を改善することで皮膚状態の悪化を抑制する。
【００３１】  前記被覆部２乃至被覆部７は、肌触りよく、摩擦による皮膚への負担が少なく、洗濯が可能であり、伸縮性を有する布材から構成される。その様な特性を有する布材の一例として、包帯に使われるガーゼ布をあげることができる。
【００３２】  前記被覆部の前記芯部への取り付け方法の例として、次の四つの、Ａ方式、Ｂ方式、Ｃ方式、Ｄ方式を挙げる。Ａ方式は被覆部を前記芯部の周囲を覆い縫合等によって取り付ける方法である。Ｂ方式は帯状の被覆部を前記芯部の穴にくぐらせながららせん状に巻きつけてゆく方法である。Ｃ方式は組立手順を図８に示す。芯部の穴１２を上下方向に向けたとして以下説明を行う。まず図８の左図のように、筒状にした被覆部を芯部の穴１２に通し、次に中央図のように被覆部下端１４を芯部下部１６から芯部の外輪の全周にわたって折り返す。次に被覆部上端１３を、芯部上部１５から芯部の外輪の全周にわたって折り返して巻きつけることによって全体を覆う。被覆部上端１３は被覆部下端１４の上にかぶさり被覆部の一部は重なった形状となる。右図は完成図であり、上下方向から折り返し巻きつけ終わった状態を斜め上方から見た図である。このＣ方式の場合、被覆部の上下端は、巻きつけがほどけないようにゴムひもを取り付ける等して伸縮性をもたせるとともに、繊維がほどけないように処理をすることが望ましい。Ｄ方式は細長い筒状の被覆部の穴に、芯部を、分断部の切れ目から通していく方法である。一方の端部をもう一方の端部に重ねることで、輪状形状を形成する。Ｄ方式の場合も被覆部の上下端は、ゴムひもを取り付ける等して伸縮性をもたせるとともに、繊維がほどけないように端処理をする。
【００３３】  前記被覆部２の前記芯部１への取り付けは、Ａ方式、Ｂ方式、Ｃ方式等がある。Ａ方式は使い捨て方式に適している。Ｂ方式、Ｃ方式による器具は、洗濯などによる繰り返し使用にそれぞれ適し、被覆材のみの取り換えで、清潔を保ちやすく、患者の金銭的負担も下げられる。
【００３４】  前記第三の実施例においては、被覆部７の前記分断芯部６への取り付け方法として、Ａ方式、Ｃ方式、Ｄ方式などがある。Ａ方式は使い捨て方式に適している。Ｃ方式、Ｄ方式は、洗濯などによる繰り返し使用方式に、それぞれ適し、被覆材のみの取り換えで、清潔を保ちやすく、患者の金銭的負担も下げられる。
【００３５】  本考案の衛生器具を複数個組み合わせて装着する使用例を図７で示す。隣り合う指１０の間に衛生器具９の厚みが入る形となり、指間に隙間１１が生まれることで、過度の湿潤を防ぎ、皮膚状態の改善を図る。使用方法として推奨するのは、「母指、中指、小指」の組み合わせのように、１本おきの指に衛生器具をはめることである。
【００３６】  また図７では、１本の指に複数個の当該器具を連ねて装着する例も示す。１本の指に複数の衛生器具を連ねて装着すると、握りこみに対して抵抗する力が強まり、すなわち手指関節に伸展方向に作用することで、屈曲拘縮の進行を抑制することが見込まれる。また指１０の先が手掌に当たることが少なくなるので、皮膚を傷つけることが少なくできる。
【００３７】  その他の実施例として、ひとつの手に複数個の当該器具を使用するときに、あらかじめ、ひも等を使って各器具どうしを結び合っておくと、紛失の防止、認知症患者等による誤食の予防の効果が見込まれる。
【符号の説明】
【００３８】  １      芯部
２      被覆部
３      分断芯部
４      被覆部
５      分断箇所
６      一部分肥厚した分断芯部
７      被覆部
８      肥厚箇所
９      衛生器具
１０      指
１１      隙間
１２      芯部の穴
１３      被覆部上端
１４      被覆部下端
１５      芯部上部
１６      芯部下部
【図１】
0003208302.tif 000003
【図２】
0003208302.tif 000004
【図３】
0003208302.tif 000005
【図４】
0003208302.tif 000006
【図５】
0003208302.tif 000007
【図６】
0003208302.tif 000008
【図７】
0003208302.tif 000009
【図８】
0003208302.tif 000010